(57)【要約】  平行光をテスト領域へ向け、テスト領域から拡散光および鏡面反射光の両方を戻すために光ファイバを採用することによって、反射測光法における改善された性能が得られる。鏡面反射光は、空間フィルタによって光検出器に到達するのを妨げられ、拡散光は、収集され測定される。
2008503724.tif 000002
【特許請求の範囲】
【請求項１】
（ａ）平行光の光源と、
（ｂ）前記平行光光源から平行光を受け取るようになされ、前記平行光の一部を光ファイバへ向けるようになされたビームスプリッタと、
（ｃ）前記光ファイバの一端部で前記ビームスプリッタから受け取った前記平行光を前記光ファイバの第２の端部でテスト領域へ向けるようになされ、前記テスト領域から戻った鏡面反射光および拡散光を前記ビームスプリッタへ向けるようになされ、前記テスト領域と接触しているか、または前記テスト領域にごく接近している、光ファイバと、
（ｄ）前記鏡面反射光を前記ビームスプリッタから受け取るとともに、前記鏡面反射光の光検出器へのアクセスを遮るようになされた空間フィルタと、
を備える、同軸拡散反射読取ヘッド。
【請求項２】
前記空間フィルタの後ろに配置され、拡散光を前記ビームスプリッタから受け取るとともに、前記拡散光から電気信号を生成するようになされた光検出器をさらに備える、請求項１に記載の同軸拡散反射読取ヘッド。
【請求項３】
前記ビームスプリッタを通過した、前記平行光の第２の部分を受け取るための基準光検出器をさらに備える、請求項１に記載の同軸拡散反射読取ヘッド。
【請求項４】
前記ビームスプリッタが、前記光ファイバから受け取る拡散光のロスを低減するために斜切された外側縁部を有する、請求項１に記載の同軸拡散反射読取ヘッド。
【請求項５】
前記ビームスプリッタが、４５°に斜切された外側縁部を有する、請求項４に記載の同軸拡散反射読取ヘッド。
【請求項６】
前記光ファイバの直径が、前記テスト領域にほぼ等しい、請求項１に記載の同軸拡散反射読取ヘッド。
【請求項７】
前記光ファイバおよび前記テスト領域の直径が、約０．２５〜約３ｍｍの範囲にある、請求項６に記載の同軸拡散反射読取ヘッド。
【請求項８】
前記光ファイバの直径が、約１ｍｍである、請求項７に記載の同軸拡散反射読取ヘッド。
【請求項９】
前記空間フィルタが、鏡面反射光が前記ビームスプリッタを通過するのを遮るために配置された不透明領域を含む、請求項１に記載の同軸拡散反射読取ヘッド。
【請求項１０】
前記不透明領域が、前記光ファイバより大きい、請求項９に記載の同軸拡散反射読取ヘッド。
【請求項１１】
前記光ファイバが、前記ファイバの前記第２の端部を被覆する試薬を有し、前記テスト領域上の試料と接触するように配置される、請求項１に記載の同軸拡散反射読取ヘッド。
【請求項１２】
前記光ファイバが使い捨てである、請求項１１に記載の同軸拡散反射読取ヘッド。
【請求項１３】
前記光ファイバが、前記テスト領域にごく接近し、前記平行光のロスを最小限に抑えるように配置される、請求項１に記載の同軸拡散反射読取ヘッド。
【請求項１４】
前記光ファイバが、前記テスト領域から約０．２５〜２ｍｍの位置に配置される、請求項１２に記載の同軸拡散反射読取ヘッド。
【請求項１５】
前記テスト領域が、前記テストストリップの試料と反応するための試薬を含有するテストストリップを含む、請求項１３に記載の同軸拡散反射読取ヘッド。
【請求項１６】
前記平行光の光源が、ＬＥＤを備える、請求項１に記載の同軸拡散反射読取ヘッド。
【請求項１７】
前記平行光の光源が、ハロゲンランプである、請求項１に記載の同軸拡散反射読取ヘッド。
【請求項１８】
前記ビームスプリッタが、５０／５０ビームスプリッタである、請求項１に記載の同軸拡散反射読取ヘッド。
【請求項１９】
前記光ファイバの直径が、前記平行光の直径より大きい、請求項１に記載の同軸拡散反射読取ヘッド。
【請求項２０】
（ａ）光源からの平行光を提供するステップと、
（ｂ）前記平行光をビームスプリッタで光ファイバの第１の端部へと向けるステップであって、前記光ファイバの第２の端部が、テスト領域と接触するか、または前記テスト領域にごく接近している、ステップと、
（ｃ）前記テスト領域から戻った拡散光および鏡面反射光を前記光ファイバを介して前記ビームスプリッタへと向けるステップであって、前記鏡面反射光が、前記ビームスプリッタを通過し空間フィルタに接触し、それによって前記鏡面反射光が検出されるのを妨げ、前記拡散反射光が、前記空間フィルタの周りを通過し、光検出器と接触するステップと、
（ｄ）拡散反射光を前記光検出器で測定し、測定された拡散反射光を前記生体試料中の検体の量と相互に関係付けるステップと
を含む、生体試料中の検体を測定する方法。
【請求項２１】
前記光ファイバの直径が、前記テスト領域とほぼ等しい、請求項２０に記載の方法。
【請求項２２】
前記光ファイバから受け取る拡散光のロスを低減するために前記ビームスプリッタの外側縁部が斜切されている、請求項２０に記載の方法。
【請求項２３】
前記光ファイバが、前記光ファイバ前記第２の端部を被覆する試薬を有し、前記ファイバが、前記テスト領域上の前記試料と接触するように配置される、請求項２０に記載の方法。
【請求項２４】
前記光ファイバが、前記テスト領域にごく接近し、前記平行光のロスを最小限に抑えるように配置される、請求項２０に記載の方法。
【請求項２５】
前記光ファイバが、平行光を前記テスト領域のテストストリップに供給する、請求項２４に記載の方法。
【請求項２６】
前記テスト領域が、拡散光の最初の変化についてモニターされ、拡散光の前記変化が、前記テスト領域中の前記検体との反応の開始を示す指標として使用される、請求項２０に記載の方法。
【請求項２７】
前記検体がグルコースであり、前記生体試料が全血である、請求項２０に記載の方法。
【発明の詳細な説明】
【技術分野】
【０００１】
本発明は、血液のグルコース含有量を測定するために使用される測定器など、生体試料に対する光応答を測定するために使用される測定器に関する。
【背景技術】
【０００２】
病状は、しばしばテストストリップによって診断またはモニターされる。このテストストリップは、生体試料の検体（例えば、全血中のグルコース）とテストストリップ上に配置された試薬との反応に対する光応答（例えば、色）を提供する。光応答は視覚的に読み取り可能であるが、しばしば反射測光法を使用して測定される。この方法では、光はテストストリップ上の試薬を含有する領域に向けられ、このテスト領域から戻る光が検出され、それはテストストリップ上で反応した検体の量と相関関係がある。
【０００３】
多くの特許が、反射測光法を採用する測定器の性能改善を目的とする光源および検出器の構成を開示している。その例としては、米国特許第６１８１４１７号、第５６１１９９９号、第４８９０９２６号、第５１５５６２８号、第５４４９８９８号および第５４７７３２６号がある。一般的に、高輝度で狭帯域幅の光源を提供するために発光ダイオード（ＬＥＤ）が使用される。テスト領域の光学的性質の影響を受けた、テストストリップから戻った光は、拡散光と称され、光検出器によって収集され測定される。本明細書では鏡面反射光と称される、テスト領域による影響を受けない戻り光は、光検出器に到達するのを妨げられる。
【０００４】
こうした光は、光源と光検出器の間を伝わるときに、当業者によく知られている様々な方法で扱われる。いくつかの方法では、光ファイバが採用されてきた。その一例が、米国特許第５７０１１８１号にみられ、そこでは、ＬＥＤが光ファイババンドルを通してテストストリップ上のパッドに３０°の角度で光を供給する。反射光は、ねじ切り光バッフル（ｔｈｒｅａｄｅｄ  ｌｉｇｈｔ  ｂａｆｆｌｅ）の背後に配置された両凸レンズを介し光ファイバの第２のバンドルを通って光検出器へ向けられる。
【０００５】
完全に異なる設計の他の感知装置が、米国特許第６１５７４７２号および第６５３５７５３号に記載されている。この装置は、テストされる物体と直接接触する非常に小さい感知先端部に光を向け、その先端部から反射して戻ってくる光を受け取るために、光ファイバを自立型ユニット内に採用している。この感知先端部は、極めて小さく、感覚がほとんどまたは全くなしに患者の皮膚に入れることを目的としている。この先端部は、検出されるべき検体と反応するように選択された材料で被覆されている。米国特許第６５３５７５３号に示す一例では、グルコースオキシダーゼ試薬システムを採用している。試薬を先端に付けた光ファイバが、酸化窒素など他の検体を測定するために提案されてきた。他の例が米国特許第６６３６６５２号に出ている。
【０００６】
一般的な測定器には、光の扱いに関するいくつかの制限がある。テスト領域から戻る拡散光の量が少なく、したがってテスト領域が比較的大きくなければならず、その結果所望より大きな装置になる。測定器の光学的要素の構成は、設計者に問題を提起している。さらに、鏡面反射光の反射、すなわちテスト領域の光応答の影響を受けなかった光を減らすことは、一般的に完全には成功していない。
【発明の開示】
【発明が解決しようとする課題】
【０００７】
したがって、このような測定器のさらなる改良が絶えず求められている。本発明は、以下の説明で理解されるように、従来の測定器に見られる制限を克服するためにファイバーオプティックスを採用する。
【課題を解決するための手段】
【０００８】
一実施形態では、本発明は、生体試料の検体（例えば、全血中のグルコース）とテストストリップ上の適切な試薬との反応に対する光応答を測定するために使用される反射測光法において改善された性能を提供する同軸拡散反射読取ヘッドである。同じ光ファイバが同軸に、すなわち平行光をテスト領域に送りかつ拡散光と鏡面反射光の両方を戻すために使用される。ビームスプリッタが、平行光を光源から光ファイバ内へ向け、テスト領域から受け取った鏡面反射光を空間フィルタへ向ける。この空間フィルタは、鏡面反射光の光検出器へのアクセスを遮るために配置されている。拡散光は、空間フィルタの周りを通り、光検出器によって測定され、テスト領域で反応した検体の量と相関関係がある。好ましい一実施形態において、ビームスプリッタの縁部は、縁部が９０°のビームスプリッタと比べて拡散反射光のロスを抑えるために、好ましくは４５°の角度に斜切されている。
【０００９】
他の態様では、本発明は、光源で露光されたテスト領域から戻る拡散光を測定する方法である。平行光が、ビームスプリッタおよび光ファイバを介してテスト領域に向けられる。光ファイバは、テスト領域と接触しているか、またはテスト領域にごく接近している。拡散光と鏡面反射光の両方が、テスト領域から光ファイバを介してビームスプリッタに戻る。ビームスプリッタを通過した鏡面反射光は、空間フィルタとして働く不透明領域に向けられ、拡散光は、空間フィルタの周りを通って光検出器に達する。
【００１０】
他の実施形態では、本発明は、試料と直接接触するように試薬で被覆された、光ファイバセンサの性能を改善する同軸反射読取ヘッドである。光ファイバの先端が、上述の実施形態で使用されるテストストリップの替わりになる。このファイバ先端および試料に向けられた光は、光ファイバによって光検出器に戻される。鏡面反射光は、ビームスプリッタを通過し、空間フィルタとして働く不透明領域によって光検出器に入るのを遮られ、試料の光応答に関する情報を含む拡散光は、不透明領域の周りを通って光検出器上に達する。
【発明を実施するための最良の形態】
【００１１】
臨床化学で病気のマーカーの有無を判定するために使用される試薬用ストリップは、一般的に、試薬用ストリップに塗布された試料中の対象となる検体の存在に応答して光応答（例えば、色の変化）を生じる。テストストリップの光応答を、カラーチャートなどを参照して読み取ることができるが、光応答をより正確に測定するために一般に測定器が使用される。全血中のグルコース含有量の測定は、特に重要であるが、タンパク質、血液、ケトン、ビルビリン、ウロビリノーゲン、亜硝酸塩、コレステロールなど他の検体を類似の方法で検査することもできる。
【００１２】
このような測定器では、光源がテスト領域に光を供給し、表面から戻る光が測定され、それはテストストリップ上で反応した検体の量に関係する。この戻り光を２つのタイプに分けることができる。第１に、テスト領域で起こった色の変化（または他の光応答）の影響を受けず、テスト領域から単に戻るだけの光。このような光は、「鏡面反射光」と称される。この鏡面反射光は、「ノイズ」であり、したがって、「拡散光」と称される第２のタイプの光を測定するために使用される光検出器に到達するべきではない。拡散光は、テスト領域によって影響を受け、したがってテスト領域の試薬に対する試料の光応答を表すと理解されている。したがって、拡散光は、テスト領域に現れる検体の量の測度を提供する。例えば、生じた色と一致する波長で入射光を吸収して、検体の量に比例してその波長における拡散光を欠乏させることができる。
【００１３】
上述の特許に記載されるような測定器では、光学要素の様々な構成が、鏡面反射光の光検出器へのアクセスを制限し、最大量の拡散光を回収するために使用され、そのため拡散光の測定が可能な限り正確になる。一般的には、ＬＥＤまたは他の光源が使用される。光源およびその関連の光学装置、テスト領域、および光検出器は、鏡面反射光の回収を制限し拡散光の回収を最大にするように配置される。本発明は、読取ヘッドの小型化を可能にしながら性能を改善し、以前の設計に特徴的な機械的制限を克服する。
【００１４】
本発明は、光を、テスト領域に近接しまたはそれと実際に接触する単一の光ファイバを介してテスト領域までまたそこから伝送することにより、従来技術の設計に比べてテスト領域の寸法を低減する。好ましい実施形態では、光ファイバの直径は約１ｍｍである。光ファイバは非常に小型で可撓性があるので、従来は光源、テスト領域および光検出器の近接を要求していた光のロスについて気にせずに、残りの光学部品を配置することが可能である。また、読取ヘッドの製造における機械的公差を少なくする必要が低減される。最後に、テスト領域から出て行く拡散光が全領域から収集されるが、これは、光が、レンズまたは他の光学的機構を通ってテスト領域からある距離をおいて配置された光検出器内に向けられる場合、これまでは簡単に実現することができなかった。
【００１５】
図１は、本発明の主な特徴の概略図を提供する。平行光１０が、例えばＬＥＤ（または他の光源）およびコリメーティングレンズによって提供され、光束（ｃｏｌｕｍｎ  ｏｆ  ｌｉｇｈｔ）に対して４５°の角度で配置されたビームスプリッタ１２に向けられる。ビームスプリッタは、光学技術分野の当業者にはよく知られている。ビームスプリッタはそれらが受け取った光の一部を基準検出器に渡すことができ、この検出器は、ある使用期間にわたって起こる照射光の輝度のばらつきを補正する手段を提供する。光の残りの部分は、ビームスプリッタから反射してテスト領域に入る。本発明の一実施形態では、反射光は、ビームスプリッタに近接し、好ましくは表面から約２ｍｍの位置に配置された光ファイバ１４へ向けられる。この光は、光ファイバを通過しテスト領域（図示せず）に到達する。光ファイバは、テスト領域とほぼ同じ寸法であるので、全ての平行光がテスト領域によって受け取られる。テスト領域から出た光は、同じ光ファイバ１４を通って戻る。鏡面反射光は、反射するだけで、テスト領域上で起きた反応によって生じた色または他の光応答の影響を受けないと考えられる。拡散光は、テスト領域で起きる光応答の影響を受け、テスト領域で反応した検体の量を判定するために必要とされる情報を含む。両方のタイプの光が光ファイバを通って戻る。それらがビームスプリッタに到達するとき、鏡面反射光１６は、平行のままでありビームスプリッタを通過する光であると見なされる。鏡面反射光は、図１および２に示すようにビームスプリッタ１２に使用される材料によって屈折される。鏡面反射光は、空間フィルタ１８として働く不透明領域によって光検出器２２に入るのを遮られる。拡散光２０は、光ファイバ１４を出るときに拡散し図示のようにビームスプリッタ１２内およびその周りを通過して光検出器２２に到達する光であると見なされる。光検出器に到達した拡散光は、テスト領域で反応した検体の量を示すようにアルゴリズムによって相互に関係付けられた電気信号に変換される。
【００１６】
拡散光の一部が失われることが図１から分かる。というのは、それが光検出器のそばを通り、一部の拡散光はビームスプリッタをその縁部で通過しないからである。図２に示す同様の好ましい実施形態では、より多くの拡散光が光検出器によって取り込まれ測定される。この実施形態では、拡散光のロスを低減するために、例えば図２に示すように４５°の角度でビームスプリッタ１２の外側縁部が斜切されている。好ましい角度は、ビームスプリッタの光学的特性、ビームスプリッタに対する光ファイバ端部の位置、および読取ヘッド内の光学要素の相対位置に関係するその他の要因に応じて変わるかもしれない。
【００１７】
本発明の特定の例では、光源は、約４００ｎｍ〜約１，０００ｎｍの範囲の中心波長を有する狭帯域の光を生成するＬＥＤであり、この光がコリメーティングレンズによって平行にされる。この光源および関連する光学装置は、ビームスプリッタから約３ｍｍの位置に配置される。このビームスプリッタは、当技術分野で知られたいくつかのタイプのうちの１つであり、好ましくは５０／５０プレート型ビームスプリッタでよい。このビームスプリッタは、厚さ約０．５ｍｍ、長さ約９ｍｍ、幅約３．５ｍｍである。平行光の直径は、光ファイバの直径より小さい。例えば、直径１ｍｍのファイバに対して直径０．７５ｍｍの光線というようにであるが、平行光および光ファイバの直径は、読み取るべきテスト領域の寸法に対応するよう所望に応じて変わり得る。一般的な直径は、約０．２５〜３ｍｍの範囲にあると予想される。光ファイバは、戻り光のロスを制限するために試料のテスト領域の近くに配置される。好ましくは、その距離は、０．２５ｍｍ〜２．０ｍｍの範囲にある。上述のように、光ファイバが、テスト領域を関連する照明および検出光装置から、光ファイバのない一般的な測定器では不可能な形で分離させることが本発明の特徴である。光ファイバが使用後に毎回使い捨てにすることを意図される場合は、その長さは一般に短く、例えば、約５〜約１５ｍｍである。しかし、使用後に毎回取り替えることが必要とされない場合は、ファイバをそれより長くすることができる。光ファイバを通って戻った鏡面反射光および拡散光は、空間フィルタから約１〜約２ｍｍの位置に配置されたビームスプリッタを通過する。この空間フィルタは、鏡面反射光を遮り、光検出器のすぐ正面に配置される。空間フィルタおよび光検出器の幅は、約０．５〜約３．５ｍｍであり、鏡面反射光を遮る不透明領域は、一般に光ファイバの直径より大きくなる。例えば、光ファイバの直径が１ｍｍの場合、空間フィルタの不透明部分は、鏡面反射光の全てが確実に遮られるように約１．４ｍｍである。本発明の一般的説明から逸脱することなく光学要素の寸法および位置決めを変更できることは光学技術分野の当業者には明らかである。例えば、平行光線の直径が２ｍｍの場合は、ファイバの直径は２．５ｍｍとなり、空間フィルタの直径は３．０ｍｍとなる。
【００１８】
図３は、光源および光検出器が読取ヘッドと一体ではない本発明の読取ヘッド３０の構成を断面図で示す。読取ヘッド３０の本体３２は、様々な材料からなるものでよく、一般的には黒色ＡＢＳ樹脂が使用される。構造の完全性以外の主な設計上の考慮点は、照明チャネルと検出チャネルの間の迷光によるクロストーク（ｓｔｒａｙ  ｌｉｇｈｔ  ｃｒｏｓｓ  ｔａｌｋ）を減少させるために、本体３２が黒色であることである。上記で考察したように、読取ヘッドは、従来の設計の場合のように必ずしもテスト領域の近くにある必要はない。ＬＥＤまたはハロゲンランプなどの白色光源によって、テスト領域を照明するための光を供給することができる。この例では、光は光ファイバ３４を通って入り、レンズシステム３６によって平行にされる。平行光は、開口３８を通過し、ビームスプリッタ４０に向けられ、ビームスプリッタは、平行光の方向に整列された標準光検出器（図示せず）に光のごく一部を渡す。光の残りの部分は、４５°の角度で光ファイバ４２中に向けられ、この光ファイバはテスト領域（図示せず）に光を伝送する。拡散光および鏡面反射光は、テスト領域から光ファイバ４２を通ってビームスプリッタ４０へ戻り、このビームスプリッタは、戻り光を、空間フィルタ４４とレンズ４６に向け、レンズ４６は拡散光を光ファイバ４８上に集束させて光検出器（図示せず）に導く。他の実施形態では、ＬＥＤ光源を、読取ヘッドに密着させ、またやはり読取ヘッドの近くに配置された光検出器に近接して配置することができることが当業者には明らかである。
【００１９】
他の２つの実施形態は、テスト領域に対する光ファイバの端部の配置に関するものである。第１に、光ファイバの端部は、試料中の検体と反応するための試薬を含有するテスト領域の近くに、ただし接触しないように配置される。例えば、ファイバを、テスト領域の表面から約０．０５〜約０．２５ｍｍの位置に配置することができ、それにより、ファイバが可能な限り多くの反射光を受け取るが、汚染のリスクは最小限に抑えられる。このような実施形態では、テスト領域は一度使用されると処分されるので、ファイバを、取り替える必要なく多くのテストに使用することができる。すなわち、テスト領域は、液体試料が置かれ反応する、試薬を含有したテストストリップと一致する。
【００２０】
第２の実施形態では、ファイバは、テスト領域中の試料と直接接触する。第１の実施形態とは対照的に、血中グルコースの測定で使用されるテストストリップのように、以前にそこに配置された試薬と接触するようにテスト領域に試料を添加することはしない。その代わりに、光ファイバの先端部が、試料中の検体（例えば、グルコース）と反応する必要のある試薬を担持する。ファイバの先端部が試料と接触するとき、必要な反応が起こり、光応答が得られる。平行光は、光ファイバの先端部と試料の境界面に入り、反射光は、第１の実施形態と同様にファイバを通って光検出器に戻る。光ファイバの端部が事実上テストストリップになるので、光ファイバは、使用後毎回取り替えられる。
【００２１】
どちらの実施形態でも、測定器は、テストストリップまたは試料が定位置に配置された後、テスト領域を出た光をモニターし始めるようにプログラムすることができる。テスト領域から戻る光の突然の減少は、試料と試薬との間で反応が始まったことを示し、これをその検査の正確な開始時間を判定するために使用することができる。性能の改善およびテスト時間の短縮は、検査の厳密な開始時間を知ることによって改善される。
【００２２】
多くの検体を判定する際に本発明を採用することができる。例えば、本発明の一実施形態では、テスト領域は、ペルオキシダーゼの存在下で、テトラメチルベンジジンまたはジアニシジン、あるいは４−アミノアンチピリンとｐ−ヒドロキシベンゼンスルホネートなどの指示薬と組み合わせた酵素グルコースオキシダーゼなど、グルコースの判定になされた試薬を含むことができる。あるいは、酵素グルコースデヒドロゲナーゼを、ｐ−ヨードニトロテトラゾリウムバイオレット（ＩＮＴ）、ニトロブルーテトラゾリウム（ＮＢＴ）、またはテトラニトロブルーテトラゾリウム（ＴＮＢＴ）などのテトラゾリウム指示薬と組み合わせて使用することもできる。
【００２３】
血液試料中のコレステロールを判定するには、テスト領域は、ペルオキシダーゼの存在下で、テトラメチルベンジジンまたはジアニシジン、あるいは４−アミノアンチピリンとｐ−ヒドロキシベンゼンスルホネートなどの指示薬を加えた酵素コレステロールエステルヒドロラーゼおよびコレステロールオキシダーゼを含有することができる。
【００２４】
トリグリセリドを判定するには、酵素リパーゼ、グリセロキナーゼ、グリセロールリン酸デヒドロゲナーゼおよびジアホラーゼは、ｐ−ヨードニトロテトラゾリウムバイオレット（ＩＮＴ）、ニトロブルーテトラゾリウム（ＮＢＴ）、またはテトラニトロブルーテトラゾリウム（ＴＮＢＴ）などのテトラゾリウム指示薬とあいまって、トリグリセリドのレベルを示す色を生成する。酵素リパーゼ、グリセロキナーゼ、グリセロールリン酸オキシダーゼはまた、ペルオキシダーゼの存在下で、テトラメチルベンジジンまたはジアニシジン、あるいは４−アミノアンチピリンとｐ−ヒドロキシベンゼンスルホネートなどの指示薬とあいまってトリグリセリドに応答して色を発現する。
【００２５】
酵素アミラーゼに対して高感度のテストは、酵素α−グルコシダーゼ、および発色指示薬である４，６−エチリデン（Ｇ７）ニトロフェニル（Ｇ１）−（α）Ｄ−マルトヘプトシド（ｍａｌｔｏｈｅｐｔｏｓｉｄｅ）で行うことができる。ヘモグロビンは、フェリシアン化カリウム、シアン化カリウムおよび重炭酸ナトリウムによって検出することができ、この場合、ヘモグロビンは、メトヘモグロビンに変換される。
【００２６】
光ファイバの先端部が、試薬のキャリアとして働く、すなわちテストストリップの等価物となる場合、主要な試薬は、テストストリップで使用されたものとほぼ同じであるけれども、光ファイバの先端部に塗布するのに必要なように配合を変更することができる。
【図面の簡単な説明】
【００２７】
【図１】本発明の光学系の概略図である。
【図２】本発明の好ましい光学系の概略図である。
【図３】本発明の読取ヘッドの断面図である。
【図１】
2008503724.tif 000003
【図２】
2008503724.tif 000004
【図３】
2008503724.tif 000005
【国際調査報告】
2008503724.tif 000006
2008503724.tif 000007
2008503724.tif 000008